(57)【要約】【課題】端子金具のガタつきを防止することで端子金具間の接続部分の摺動を防止することができるコネクタを提供する。【解決手段】電線Ｙが接続された雌型端子金具４０を有する雌側コネクタ２０において、雌型端子金具４０を収容するキャビティ２７が形成された合成樹脂製の雌側コネクタハウジング２３と、キャビティ２７に設けられた係止突部２９を有する可撓性ランス２８と、可撓性ランス２８が雌型端子金具４０との係合を解除する方向に撓み変形可能とするランス逃がし孔２６とを備え、ランス逃がし孔２６に挿入して雄側コネクタ５０との嵌合時にランス逃がし孔２６内に押し込まれることによって雌型端子金具４０を可撓性ランス２８の係止突部２９に押し当てて雌型端子金具４０を後方に押し込む押圧部６１が設けられている。【選択図】図６
2011171000.tif 000002
【特許請求の範囲】
【請求項１】
電線が接続された端子金具を有するコネクタにおいて、
前記端子金具を収容するキャビティが形成された合成樹脂製のコネクタハウジングと、前記キャビティに設けられ係止突部が前記端子金具と係合して抜け止めする可撓性ランスと、前記コネクタハウジングの相手方コネクタとの嵌合面に開口して設けられ前記可撓性ランスを前記端子金具との係合を解除する方向に撓み変形可能とするランス逃がし孔とを備え、
前記ランス逃がし孔に前記嵌合面側から挿入して前記相手方コネクタとの嵌合時に前記相手方コネクタによって前記ランス逃がし孔内に押し込まれることに伴って前記端子金具を前記可撓性ランスの前記係止突部に押し当てて前記端子金具を後方に押し込む押圧部が設けられた弾性材料製の端子金具押圧部材を有することを特徴とするコネクタ。
【請求項２】
前記端子金具押圧部材は、前記相手方コネクタとの未嵌合時には前記嵌合面から突出する突出部を更に備えることを特徴とする請求項１記載のコネクタ。
【請求項３】
前記端子金具押圧部材の前記押圧部には、前記可撓性ランスの撓み空間内に押し込まれるランス押し上げ部が設けられていることを特徴する請求項１又は請求項２記載のコネクタ。
【請求項４】
前記ランス押し上げ部は、前記可撓性ランスに面する部分において基端側ほど可撓性ランス側に近くなる傾斜面を有していることを特徴とする請求項３記載のコネクタ。
【発明の詳細な説明】
【技術分野】
【０００１】
本発明は、電線の末端に取り付けられるコネクタに関する。
【背景技術】
【０００２】
従来、電線の末端に取り付けられるコネクタとしては、特許文献１に記載されたものが公知である。このコネクタは、コネクタハウジングのキャビティ内に、電線の先端に圧着した端子金具を後方から挿入して構成されている。そして、この端子金具はコネクタハウジングのキャビティ内において前方端面をハウジングの内部に設けられた前方止部によって前方向に抜け止めされ、端子金具に設けられた係合部を電線側ハウジングの内部に設けられた可撓性ランスによって係止されることで後方向に抜け止めされている。
【先行技術文献】
【特許文献】
【０００３】
【特許文献１】特開平１１−２１９７５８号公報
【発明の概要】
【発明が解決しようとする課題】
【０００４】
ところで、端子金具は別部品としてコネクタハウジングのキャビティ内に装着されるものであるから、キャビティ内壁との間にクリアランスが存在し、キャビティ内で僅かにガタつくことは避け得ない。一方で、例えば車両に搭載されているワイヤハーネスにコネクタが使用されている場合、車両の走行に伴って電線やコネクタハウジングが振動する。その為、コネクタが相手方コネクタと嵌合した後においても、端子金具がキャビティ内において前後方向にガタつき、その結果、端子金具間の接続部分が摺動して摩耗を生じさせて端子金具間の接続信頼性が低下するといった問題がある。
【０００５】
本発明は上記のような事情に基づいて完成されたものであって、端子金具のガタつきを防止することで端子金具間の接続部分の摺動を防止し、端子金具間の接続信頼性を向上させることができるコネクタを提供することを目的とする。
【課題を解決するための手段】
【０００６】
上記の目的を達成するための手段として本発明は、電線が接続された端子金具を有するコネクタにおいて、前記端子金具を収容するキャビティが形成された合成樹脂製のコネクタハウジングと、前記キャビティに設けられ係止突部が前記端子金具と係合して抜け止めする可撓性ランスと、前記コネクタハウジングの相手方コネクタとの嵌合面に開口して設けられ前記可撓性ランスを前記端子金具との係合を解除する方向に撓み変形可能とするランス逃がし孔とを備え、前記ランス逃がし孔に前記嵌合面側から挿入して前記相手方コネクタとの嵌合時に前記相手方コネクタによって前記ランス逃がし孔内に押し込まれることに伴って前記端子金具を前記可撓性ランスの前記係止突部に押し当てて前記端子金具を後方に押し込む押圧部が設けられた弾性材料製の端子金具押圧部材を有するところに特徴を有する。
【０００７】
このような構成のコネクタによると、相手方コネクタとの嵌合時には端子金具押圧部材が相手方コネクタに押し込まれることで端子金具を可撓性ランスの係止突部と端子金具押圧部材の押圧部とによって挟み込んで固定し、端子金具がキャビティ内で僅かにガタつくことを防ぐことができる。これにより、端子金具間の接続部分が摺動して摩耗することによる端子金具間の接続信頼性の低下を防ぐことができる。
【０００８】
本発明の実施の態様として、以下の構成が望ましい。  
前記端子金具押圧部材は、前記相手方コネクタとの未嵌合時には前記嵌合面から突出する突出部を更に備えてもよい。このような構成によると、相手方コネクタとの嵌合時には、端子金具押圧部材の突出部が相手方コネクタの嵌合側の面によって確実に押圧されることになり、端子金具押圧部材の押圧部によって端子金具をより確実に係止突部に押し当てることができる。これにより、より確実に端子金具がキャビティ内で僅かにガタつくことを防ぐことができる。
【０００９】
前記端子金具押圧部材の前記押圧部には、前記可撓性ランスの撓み空間内に押し込まれるランス押し上げ部が設けられてもよい。このような構成によると、端子金具押圧部材の押圧部によって端子金具を可撓性ランスの係止突部に押し当てると共に、可撓性ランスを端子金具に向かって押上げて固定することで、端子金具をキャビティの内面に押し付けて端子金具のガタつきを防ぐことができる。
【００１０】
前記ランス押し上げ部は、前記可撓性ランスに面する部分において基端側ほど可撓性ランス側に近くなる傾斜面を有してもよい。このような構成によると、ランス押し上げ部がランス逃がし孔に対して圧入される状態となることから、押圧部によって端子金具を係止突部に押し当てると共に、ランス押し上げ部によって可撓性ランスを端子金具に向かって確実に押上げた状態に固定することで、端子金具のガタつきを確実に固定するができる。
【発明の効果】
【００１１】
本発明によれば、端子金具のガタつきを防止することで端子金具間の接続部分の摺動を防止し、端子金具間の接続信頼性を向上させることができる。
【図面の簡単な説明】
【００１２】
【図１】本発明の一実施形態に係るランス逃がし孔に端子金具押圧部材を装着する前の状態を示す斜視図
【図２】ランス逃がし孔に端子金具押圧部材を装着した後の状態を示す斜視図
【図３】ランス逃がし孔に端子金具押圧部材を装着する前の状態を示す側断面図
【図４】ランス逃がし孔に端子金具押圧部材を装着した後の状態を示す側断面図
【図５】コネクタと相手方コネクタとの嵌合前の状態を示す側断面図
【図６】コネクタと相手方コネクタとの嵌合後の状態を示す側断面図
【発明を実施するための形態】
【００１３】
＜実施形態＞
本発明の一実施形態を図１乃至図６の図面を参照して説明する。  
本実施形態のコネクタは、互いに嵌合される雌側コネクタ２０と雄側コネクタ５０とから構成される。尚、以下の説明において「前」及び「後」とは、それぞれ相手コネクタに対して嵌合させるための操作方向の先側及び後側をいう。
【００１４】
雌側コネクタ２０は、図１乃至図３に示すように、略長円形状の断面を有する円筒部２１の前方端面から嵌合方向に向かって直線的に延びる三本の略円筒形状をなす端子収容部２２が横並びに並んだ形態をなす雌側コネクタハウジング２３と、雌側コネクタハウジング２３の端子収容部２２に収容される雌型端子金具４０とから構成されている。
【００１５】
全ての端子収容部２２には、その外面に雄側コネクタ５０と嵌合させる際に、挿入方向を位置決めする位置決めリブ２４が前方端面から端子収容部２２の略中央まで前後方向に直線的に延びるように設けられている。この位置決めリブ２４はその両側に位置する端子収容部の外面が凹んだ形態に形成されることによって、端子収容部２２から突設した状態をなしている。  
端子収容部の内部は、図３に示すように、雌型端子金具４０を収容するキャビティ２７が形成されている。このキャビティ２７はその後方部が前方部に比べてやや拡幅した形態を成しており、前方部には正規位置まで挿入された雌型端子金具４０を抜け止めする可撓性ランス２８と、端子収容部２２の前方端面に扁平な略矩形状に開口する端子挿通孔２５とが形成されている。
【００１６】
可撓性ランス２８はキャビティ２７の略中央部の内面から雌型端子金具４０側に向かって僅かに突出してから前方向に向けて更に突出し端子収容部２２の前方端面よりやや中央寄りの位置まで延びる片持ち状に形成されている。雌型端子金具４０側の面には雌型端子金具４０と係合する係止突部２９が形成されており、この係止突部２９にはその前方側に嵌合面と並行な係止面２９Ａと、後方側に基端側ほど雌型端子金具側とは反対側に向かって傾斜する突部傾斜面２９Ｂとが設けられている。  
また、可撓性ランス２８はその基端部を支点として雌型端子金具４０側とは反対側に向かって撓み変形可能となっており、可撓性ランス２８の雌型端子金具４０側とは反対側の位置には雌型端子金具４０との係合を解除するときに可撓性ランス２８が撓み変形する空間を有するランス逃がし孔２６が形成されている。
【００１７】
ランス逃がし孔２６は端子収容部２２の前方端面に略矩形状に開口し、可撓性ランス２８の基端部まで延びている。ランス逃がし孔２６の内部形状は、キャビティ２７内に雌型端子金具４０が収容されているときには雌型端子金具４０の前方端面がキャビティ２７側から露出されることで開口部側からから二段階に狭幅する段付状に形成されている。
【００１８】
雌型端子金具４０はその前方側に略角筒状を成す接続部４１が形成され、後方側に末端部が露出された電線Ｙとの接続を行うバレル４２が設けられている。  
接続部４１には、その側面の一端に可撓性ランス２８の係止突部２９と係合する係合凹部４３が設けられ、接続部４１内に弾性接触片４４が設けられている。係合凹部４３は雌型端子金具４０が雌側コネクタハウジング２３のキャビティ２７に挿入されるときにキャビティ２７の可撓性ランス２８側の面に沿わせて挿入する。そして、雌型端子金具４０の接続部４１の前方端面と可撓性ランス２８の突部傾斜面２９Ｂとが当接し、その当接状態から更に雌型端子金具４０を挿入することで、可撓性ランス２８の係止突部２９をランス逃がし孔２６へ撓み変形させ、雌型端子金具４０が嵌合完了位置に至ったときに、可撓性ランス２８の係止突部２９の係止面２９Ａが係合凹部４３に係合することによって雌型端子金具４０をキャビティ２７から抜け止めしている。  
弾性接触片４４は、接続部４１の先端から延出されて山型状に折り返されることによって形成され、その頂上には弾性変位可能な接点部４４Ａが設けられている。
【００１９】
一方、雄側コネクタ５０は、図５に示すように、タブ状のタブ部５１を有する雄型端子金具５２と、雌側コネクタハウジング２３と嵌合する際には雌側コネクタハウジング２３を収容するフード部５３を有する雄側コネクタハウジング５４とによって構成されている。
雄型端子金具５２のタブ部５１は、互いのコネクタ２０，５０が嵌合するときには雌側コネクタハウジング２３の端子挿通孔２５から挿入され、雌型端子金具４０の弾性接触片４４を弾性変位させつつ接続部４１内に挿入されることで雌型端子金具４０と接続されて電気的に導通される。
【００２０】
さて、ランス逃がし孔２６には、図１及び図３に示すように、端子収容部２２の前方端面から挿入される弾性材料製の端子金具押圧部材６０が備えられている。この端子金具押圧部材６０はランス逃がし孔２６へ挿入する側の面が二段の段付状をなす箱型状に形成されている。
【００２１】
すなわち、端子金具押圧部材６０の挿入側の面には、図４に示されるように、端子金具押圧部材６０がランス逃がし孔２６に装着された状態で、雌型端子金具４０の先端面に当接する押圧部６１と、その押圧部６１の下方から雌型端子金具４０の先端下面に潜り込むようにして段付き状に突出する支持部６２と、更にその支持部６２の下方において可撓性ランス２８の下方に潜り込むようにして段付き状に突出するランス押し上げ部６３が設けられている。ランス押し上げ部６３はランス逃がし孔２６の奥部に向かって最も突出しており、その基端側ほど僅かに可撓性ランス２８側に近くなる傾斜面６３ａを有する形状である。また、端子金具押圧部材６０の挿入側の面と反対側の位置はランス逃がし孔２６に挿入されている時に僅かにランス逃がし孔２６から前方に突出する突出部６４となっている。
【００２２】
このため、図４に示すように、端子金具押圧部材６０をランス逃がし孔２６に挿入した状態で、互いのコネクタ２０，５０を嵌合させると、図６に示すように、端子金具押圧部材６０の突出部６４が雄側コネクタハウジング５４のフード部５３の奥壁によって押圧されてランス逃がし孔２６へ押し込まれる状態となる。これにより、押圧部６１がキャビティ２７からランス逃がし孔２６に露出する雌型端子金具４０の前方端面と当接して雌型端子金具４０を後方に向かって押圧することで係止突部２９の係止面２９Ａと挟み込んで固定し、ランス押し上げ部６３の傾斜面６３ａがランス逃がし孔２６へ圧入されるように押し込まれることにより可撓性ランス２８が押し上げられるから、雌型端子金具４０をキャビティ２７の天井面に押し付ける形で雌型端子金具４０を固定する。
【００２３】
本実施形態のコネクタは上記のような構造であって、続いて雌側コネクタハウジング２３への雌型端子金具４０の組み付け及び互いのコネクタ２０，５０の嵌合手順とその作用効果を説明する。  
まず、雌側コネクタハウジング２３の端子収容部２２のキャビティ２７に雌型端子金具４０を後方から挿入する。すると、雌型端子金具４０の前方端面がキャビティ２７に設けられた可撓性ランス２８の突部傾斜面２９Ｂと当接する。この当接状態から更に雌型端子金具４０を挿入することで、可撓性ランス２８の係止突部２９がランス逃がし孔２６側へ押出されて可撓性ランス２８が撓み変形し、雌型端子金具４０が嵌合完了位置に至ったときに、可撓性ランス２８の撓み変形が解除されて係止突部２９の係止面２９Ａが係合凹部４３を係止することによって雌型端子金具４０をキャビティ２７から抜け止めする。
【００２４】
次に、雌側コネクタハウジング２３の前方端面に開口するランス逃がし孔２６に端子金具押圧部材６０を挿入して、ランス押し上げ部６３の傾斜面６３ａによって可撓性ランス２８がランス逃がし孔２６側へ撓み変形することを規制すると共に、押圧部６１がキャビティ２７からランス逃がし孔２６に露出する雌型端子金具４０の前方端面と当接して雌型端子金具４０を後方に向かって押圧することによって係止突部２９の係止面２９Ａと挟み込んで固定する。そして、雌側コネクタハウジング２３を雄側コネクタハウジング５４のフード部５３に収容することにより互いのコネクタハウジング２０，５０を嵌合させ、雄側コネクタハウジング５４のフード部５３の奥壁により端子金具押圧部材６０の突出部６４を押さえつけることでランス逃がし孔２６に端子金具押圧部材６０を確実に押さえ込むことができる。  
これにより、雌型端子金具４０がキャビティ２７内において前後方向にガタつくことを防ぐと共に、雌型端子金具４０をキャビティ２７の天井面に押し付ける形で固定することにより、端子金具間の接続部分が摺動して摩耗することを防ぐことができる。
【００２５】
＜他の実施形態＞
本発明は上記記述及び図面によって説明した実施形態に限定されるものではなく、例えば次のような実施形態も本発明の技術的範囲に含まれる。  
（１）上記実施形態では、ランス逃がし孔２６が略矩形状に開口する形態に構成され、端子金具押圧部材６０の一端に押圧部６１とランス押し上げ部６３とが設けられている箱型状の構成としたが、本発明はこのような態様に制限されるものではなく、例えばランス逃がし孔２６の開口部が円形状や台形状に形成され、押圧部とランス押し上げ部とが設けられている端子金具押圧部材６０が円柱状や台形状をなす形態に構成されてもよい。
【００２６】
（２）上記実施形態では、端子金具押圧部材６０にランス押し上げ部６３が設けられている構成としたが、本発明はこのような態様に制限されるものではなく、ランス押し上げ部が設けられていない構成としてもよい。  
（３）上記実施形態では、雌型端子金具４０に端子金具押圧部材６０を適用する例を示したが、本発明は、雄型端子金具５２に端子金具押圧部材６０を適用することも可能である。
【符号の説明】
【００２７】
２３：雌側コネクタハウジング（コネクタハウジング）
２６：ランス逃がし孔
２７：キャビティ
２８：可撓性ランス
２９：係止突部
４０：雌型端子金具（端子金具）
５０：雄側コネクタ（相手方コネクタ）
６０：端子金具押圧部材
６１：押圧部
６３：ランス押し上げ部
６４：突出部
Ｙ：電線
【図１】
2011171000.tif 000003
【図２】
2011171000.tif 000004
【図３】
2011171000.tif 000005
【図４】
2011171000.tif 000006
【図５】
2011171000.tif 000007
【図６】
2011171000.tif 000008